(57)【要約】【課題】この発明は、パソコンの設置スペースが不要となるとともに、複数のフラットパネルに広告画像を表示させる場合にもＬＡＮ設備が不要となる電子広告表示装置を提供することを目的とする。【解決手段】表示パネル、広告画像データとその表示スケジュール情報とからなる広告用データを格納したメモリカードを装着するためのメモリカードソケット、およびメモリカードソケットに装着されたメモリカードに格納されている広告画像データを、メモリカードに格納されている表示スケジュール情報にしたがって表示パネルに表示させる手段を備えている。【選択図】  図１
2004205778.tif 000002
【特許請求の範囲】
【請求項１】
表示パネル、
広告画像データとその表示スケジュール情報とからなる広告用データを格納したメモリカードを装着するためのメモリカードソケット、および
メモリカードソケットに装着されたメモリカードに格納されている広告画像データを、メモリカードに格納されている表示スケジュール情報にしたがって表示パネルに表示させる手段、
を備えていることを特徴とする電子広告表示装置。
【請求項２】
広告用データ保存用内蔵メモリ、
メモリカードソケットに装着されたメモリカードに格納されている広告画像データを広告用データ保存用内蔵メモリに転送させるための手段、および
メモリカードソケットにメモリカードが装着されていない場合に、広告用データ保存用内蔵メモリに格納されている広告画像データを、広告用データ保存用内蔵メモリに格納されている表示スケジュール情報にしたがって表示パネルに表示させる手段、
をさらに備えている請求項１に記載の電子広告表示装置。
【発明の詳細な説明】
【０００１】
【発明の属する技術分野】
この発明は、電子広告表示装置に関する。
【０００２】
【従来の技術】
従来の広告表示装置としては、通常のポスター広告を含め、半透過性の広告表示部の背後から蛍光灯等の光源により、広告部をライトアップしているものがある。
【０００３】
このような広告表示装置では、広告内容を変更するためには、ポスター、看板等の広告物自体を変更しなければならないため、広告物である印刷物の準備に時間がかかったり、修正が発生した場合の迅速な対応が困難である等の問題がある。
【０００４】
そこで、表示スケジュール機能を有する専用パソコンを備え、予めパソコンに登録している広告内容を、予め定められた表示時刻に、フラットパネルに表示させるようにした電子広告表示装置が開発されている。電子広告表示装置としては、図１に示すように、専用パソコン１とフラットパネル２とが１対１のものと、図２に示すように複数のフラットパネル２を１台の専用パソコン１がＬＡＮ（ネットワーク）を介して制御するものとがある。
【０００５】
従来の電子広告表示装置では、フラットパネル以外に専用パソコンおよび専用パソコンの設置スペースが必要となる。特に、複数のフラットパネル２をＬＡＮを介して１台の専用パソコン１で制御するものでは、ＬＡＮ設備が必要となるため、ＬＡＮの配線工事等の設備投資が大きくなる。
【０００６】
【発明が解決しようとする課題】
この発明は、パソコンの設置スペースが不要となるとともに、複数のフラットパネルに広告画像を表示させる場合にもＬＡＮ設備が不要となる電子広告表示装置を提供することを目的とする。
【０００７】
【課題を解決するための手段】
請求項１に記載の発明は、表示パネル、広告画像データとその表示スケジュール情報とからなる広告用データを格納したメモリカードを装着するためのメモリカードソケット、およびメモリカードソケットに装着されたメモリカードに格納されている広告画像データを、メモリカードに格納されている表示スケジュール情報にしたがって表示パネルに表示させる手段を備えていることを特徴とする。
【０００８】
請求項２に記載の発明は、請求項１に記載の電子広告表示装置において、広告用データ保存用内蔵メモリ、メモリカードソケットに装着されたメモリカードに格納されている広告画像データを広告用データ保存用内蔵メモリに転送させるための手段、およびメモリカードソケットにメモリカードが装着されていない場合に、広告用データ保存用内蔵メモリに格納されている広告画像データを、広告用データ保存用内蔵メモリに格納されている表示スケジュール情報にしたがって表示パネルに表示させる手段をさらに備えている。
【０００９】
【発明の実施の形態】
以下、図３〜図６を参照して、この発明の実施の形態について説明する。
【００１０】
図３は、電子広告表示装置の外観を示している。
【００１１】
電子広告表示装置１０には、広告画像データ（静止画データ）とその表示スケジュール情報を含む付加データとからなる広告用データが格納されたメモリカード３０が装着できるようになっており、メモリカード３０に格納された広告画像データをメモリカード３０に格納された表示スケジュール情報に基づいて表示パネルに表示させることができるようになっている。また、電子広告表示装置１０は、それを操作するためのリモコン２０を備えている。
【００１２】
広告用データ（広告画像データおよび付加情報）の編集は、図４に示すように、汎用パソコン５０上で動作する専用のアプリーケーションソフト（以下、広告表示用データ編集用ソフトという）によって行われる。なお、専用アプリーケーションソフトは、たとえば、ＣＤ−ＲＯＭ４０によって提供される。
【００１３】
広告表示用データ編集用ソフトでは、利用時にパスワードの入力を行わせ、編集された広告用データをメモリカード３０に格納する際に、そのパスワードを保存する。そして、次回にメモリカード３０内の広告用データを編集する際には、パスワードの整合を取ることにより、編集者以外の編集を禁止している。なお、電子広告表示装置１０において、メモリカード３０内の広告画像データを再生する際には、パスワードの入力は不要である。
【００１４】
付加データには、各広告画像データの再生開始および終了時刻（例えば、午後５時〜午後７時）、広告を行う期間（例えば、１２月１日〜１２月１０）等の表示スケジュール情報の他、値段情報等が含まれる。
【００１５】
また、広告表示用データ編集用ソフトは、編集した広告用データをメモリカード３０に書き込む際には、広告用データを暗号化等によって独自の形式のデータに変換した後に、メモリカード３０に書き込むようにしている。電子広告表示装置１０のマイコン１１（図５参照）は、広告表示用データ編集用ソフトによって作成された独自形式の広告用データを通常処理できる形式のデータに変換する機能を備えている。したがって、広告表示用データ編集用ソフトを搭載したパソコンおよび電子広告表示装置１０以外の装置によって、メモリカード３０に格納された独自形式の広告用データの内容を正常に表示させることはできない。
【００１６】
図５は、電子広告表示装置１０の電気的構成を示している。
【００１７】
電子広告表示装置１０は、マイコン１１によって制御される。マイコン１１には、メモリカードソケット１２、広告用データ保存用内蔵メモリ１３、作業用メモリ１４および図示しないＲＯＭが接続されている。電子広告表示装置１０は、さらに、解像度変換を行うためのスケーラ１５および表示パネル１６を備えている。
【００１８】
この電子広告表示装置１０では、メモリカードソケット１２にメモリカード３０が装着されている場合に、リモコン２０の操作によって、メモリカード３０内の広告用データを広告用データ保存用内蔵メモリ１３に保存させることができるようになっている。
【００１９】
この電子広告表示装置１０では、メモリカードソケット１２に装着されたメモリカード３０内の広告用データに基づいて、広告画像データを表示パネル１６に表示させる機能と、広告用データ保存用内蔵メモリ１３に保存されている広告用データに基づいて、広告画像データを表示パネル１６に表示させる機能とを備えている。
【００２０】
図６は、電子広告表示装置１０の動作を示している。
【００２１】
電源が投入されると（ステップ１）、マイコン１１が初期設定を行う（ステップ２）。次に、マイコン１１は、メモリカードソケット１２を介してメモリカード３０にアクセスしにいく（ステップ３）。
【００２２】
メモリカードソケット１２にメモリカード３０が装着されている場合には（ステップ４でＹＥＳ）、マイコン１１は、メモリカード３０から広告用データを読み出して、作業用メモリ１４に格納する（ステップ５）。そして、ステップ７に進む。
【００２３】
メモリカードソケット１２にメモリカード３０が装着されていない場合には（ステップ４でＮＯ）、マイコン１１は、広告用データ保存用内蔵メモリ１３から広告用データを読み出して、作業用メモリ１４に格納する（ステップ６）。そして、ステップ７に進む。なお、メモリカードソケット１２にメモリカード３０が装着されておらずかつ広告用データ保存用内蔵メモリ１３にも広告用データが保存されていない場合には、今回の処理は終了する。
【００２４】
ステップ７では、作業用メモリ１４に格納した独自形式の広告用データを、通常処理できる形式のデータに変換する。そして、作業用メモリ１４に格納された広告用データ内の付加データ（特に表示スケジュール情報）に基づいて、作業用メモリ１４に格納されかつ通常処理できる形式のデータに変換された後の広告画像データを表示させるための処理を行う（ステップ８）。
【００２５】
つまり、ある広告画像データの表示タイミングがくると、その広告画像データ（通常処理可能に変換されたもの）をスケーラ１５に送る。スケーラ１５では、送られてきた広告画像データを、表示パネル１６に合うように解像度変換を行なった後、表示パネル１６に送る。
【００２６】
上記実施の形態では、従来のポスター、看板等の広告表示装置と比較すると、広告内容が電子化されているので、広告内容の変更、修正に伴う煩わしい作業が不要となり、広告内容の変更、修正が容易となる。
【００２７】
また、パソコン制御の電子広告表示装置と比較すると、専用パソコンの設置スペースが不要となるとともに、ＬＡＮ設備も不要であるため、導入コストを低く抑えることが可能となる。
【００２８】
【発明の効果】
この発明によれば、パソコンの設置スペースが不要となるとともに、複数のフラットパネルに広告画像を表示させる場合にもＬＡＮ設備が不要となる。
【図面の簡単な説明】
【図１】専用パソコン１とフラットパネル２とが１対１の電子広告表示装置の構成を示す外観図である。
【図２】１台の専用パソコン１によって複数のフラットパネル２が制御される電子広告表示装置の構成を示す概略構成図である。
【図３】発明の実施の形態である電子広告表示装置を示す外観図である。
【図４】広告用データ（広告画像データおよび付加情報）の編集を行うための汎用パソコン５０を示す外観図である。
【図５】電子広告表示装置１０の電気的構成を示すブロック図である。
【図６】電子広告表示装置１０の動作を示すフローチャートである。
【符号の説明】
１０  電子広告表示装置
２０  リモコン
３０  メモリカード
１１  マイコン
１２  メモリカードソケット
１３  広告用データ保存用内蔵メモリ
１４  作業用メモリ
１５  スケーラ
１６  表示パネル
【図１】
2004205778.tif 000003
【図２】
2004205778.tif 000004
【図３】
2004205778.tif 000005
【図４】
2004205778.tif 000006
【図５】
2004205778.tif 000007
【図６】
2004205778.tif 000008